(57)【要約】      （修正有）【課題】コードのたるみを極力防止することのできるイヤホンコード保持具を提供する。【解決手段】衣服３に対して少なくとも部分的に固着させるテープ２からなる。前記テープ２は複数個所に穴４１，４２を有する。この穴４１，４２にイヤホンコード５を挿通させることにより、イヤホンコード５の保持が可能である。穴の設定方法としては、例えば次のようなものがある。（ａ）テープの長手方向中央線に沿って１つ穴を均等間隔に複数個設ける。（ｂ）テープの長手方向に設けた２つ穴を１セットとして、テープの長手方向に複数セット設ける。（ｃ）テープの幅方向に設けた２つ穴を１セットとして、テープの長手方向に複数セット設ける。【選択図】図１
0003130457.tif 000002
【実用新案登録請求の範囲】
【請求項１】
衣服（３）に対して少なくとも部分的に固着させるテープ（２，２Ａ）からなり、前記テープ（２，２Ａ）は複数個所に穴（４１，４２；４１Ａ，４２Ａ）を有し、この穴（４１，４２；４１Ａ，４２Ａ）にイヤホンコード（５）を挿通させることにより、イヤホンコード（５）の保持が可能であることを特徴とするイヤホンコード保持具。
【請求項２】
前記穴が、前記テープの長手方向中央線に沿って１つ穴を均等間隔に複数個設けたものである請求項１記載のイヤホンコード保持具。
【請求項３】
前記穴が、前記テープ（２）の長手方向に設けた２つ穴（４１，４２）を１セットとして、前記テープ（２）の長手方向に複数セット設けたものである請求項１記載のイヤホンコード保持具。
【請求項４】
前記穴が、前記テープ（２Ａ）の幅方向に設けた２つ穴（４１Ａ，４２Ａ）を１セットとして、前記テープ（２Ａ）の長手方向に複数セット設けたものである請求項１記載のイヤホンコード保持具。
【請求項５】
請求項１ないし４の何れかに記載したイヤホンコード保持具（１，１Ａ）を取り付けた衣服（３）。
【考案の詳細な説明】
【技術分野】
【０００１】
本考案は、イヤホンコード保持具及びそれを有する衣服に関する。
【背景技術】
【０００２】
ラジオや音楽プレーヤーをイヤホンで聞くとき、イヤホンコード（以下では、単に「コード」ということもある。）が体の動きの邪魔になったり、スピーカーが耳から外れ、コードが落下したり、もつれたりすることがある。この問題を解決するため、下記特許文献１では、衣服のポケットや胸などに保持板を取り付け、「イヤホン懸架具」でコードを留めている。
【特許文献１】特開２００１−２４５３７３
【考案の開示】
【考案が解決しようとする課題】
【０００３】
前記特許文献１の発明は、衣服に対して簡単に取り付け・取り外しが可能である。それは長所であると共に、紛失しやすい、持参するのを忘れやすい、という短所ともなる。
【０００４】
また、この保持板を取り付けるにはポケットを必要とするので、せいぜい１個所でコードを固定することができるだけである。固定個所以外ではコードはたるんだままである。
【０００５】
本考案は、衣服に対して、洗濯のとき以外にはコードをほぼ付けっぱなしにすると共に、コードのたるみを極力防止することのできるイヤホンコード保持具を提供することを目的とする。
【課題を解決するための手段】
【０００６】
本考案のイヤホンコード保持具は、衣服に対して少なくとも部分的に固着させたテープからなり、前記テープは複数個所に穴を有し、この穴にイヤホンコードを挿通させることにより、イヤホンコードの保持が可能であることを特徴とする。
【０００７】
本考案の衣服は、前記イヤホンコード保持具を取り付けたことを特徴とする。
【考案の効果】
【０００８】
本考案のイヤホンコード保持具は、衣服に対して少なくとも部分的に固着されたテープに取り付けられるので、洗濯のとき以外にはほぼ付けっぱなしになり、紛失することも持参忘れもなくなる。
【０００９】
また、本考案のイヤホンコード保持具は、衣服に対して少なくとも部分的に固着されたテープに取り付けられるので、コードにたるみがほとんどなくなり、体の動きの邪魔とならない。コードの長さがテープの長さよりも長いときには、余剰部分はポケット内に収容すれば問題はない。
【考案を実施するための最良の形態】
【００１０】
本考案で使用するテープは、幅約１．５〜３ｃｍで、長さは少なくとも大人の上着の首もとからポケットまで伸びる長さとすることが好ましい。素材は、耐久性のある布地又はプラスチックシートが適当である。衣服正面の目立つ位置に取り付けられるので、多彩な色を使用する等、ファッション性を持たせることが好ましい。
【００１１】
穴の大きさはコードが通過するだけでなく、末端のプラグも通過させられるだけの大きさが必要である。形は、スリット型でも円形でも楕円型でもよい。穴の設定方法としては、例えば次のようなものがある。
（１）テープの長手方向中央線に沿って１つ穴を均等間隔に複数個設ける。
（２）テープの長手方向に設けた２つ穴を１セットとして、テープの長手方向に複数セット設ける。
（３）テープの幅方向に設けた２つ穴を１セットとして、テープの長手方向に複数セット設ける。
【００１２】
穴又は穴セットの数は、４〜１５個程度が適当である。穴又は穴セットが少なすぎるとコードにたるみがでやすく、多すぎると洗濯のときなどにコードを取り外したり再び取り付けたりする作業が大変になる。
【００１３】
穴にコードを挿通させる方法には、例えば、次のようなものがある。
（１）穴をテープの長手方向中央線に沿って１つ穴を均等間隔に複数個設けた場合、コード末端のプラグを手に持ってテープの穴に対して順次出没を繰り返す。ちょうど、針で糸を布地に一直線に縫い付けるような具合である。
（２）テープの長手方向に設けた２つ穴を１セットとして、テープの長手方向に複数セット設けた場合、コード末端のプラグを手に持ってテープの穴セットの間を潜らせ、コードの大部分はテープ表面に露出させる。
（３）テープの幅方向に設けた２つ穴を１セットとして、テープの長手方向に複数セット設けた場合、コード末端のプラグを手に持ってテープの穴セットの間を潜らせ、コードの大部分はテープ表面に露出させる。
【実施例１】
【００１４】
以下、添付の図面に基づき、本考案の実施例を説明する。
【００１５】
図１は、第１実施例に係るイヤホンコード保持具１を取り付けた状態を示す衣服と着用者を表した正面図である。図２（ａ）は拡大正面図、（ｂ）は縦断面図である。
【００１６】
図１に示すように、布製のテープ２は着用者の首もとからポケットに至るまで、衣服３に固定される。固定方法は、テープ２の両縁部を衣服に縫い付けることによる。必ずしも全面的に縫い付ける必要はなく、隙間があってもよい。
【００１７】
図１に示すように、穴はテープの幅方向に設けられた２つ穴４１，４２が１セット４となり、このセット４が図１ではテープの長手方向に６個設けられている。１セット４の中の穴４１，４２の間隔は短く（例えば、約１〜２ｃｍ）、各セット４同士の間の間隔は長い（例えば、約３〜１０ｃｍ）。
【００１８】
穴４１，４２を形成するため、本実施例では、図２に示すように、テープ製作と同時にスリットを形成する織成方法により形成されたテープを使用している。その方法は、２本の細幅テープを作成しながらそれぞれの側部を同時に縫い合わせるもので、縫い合わせのときに、糸を抜く部分を設けることにより、その部分をスリットとするものである。
【００１９】
コード５を取り付けるには、コード末端のプラグ（図示せず）を手に持ってテープ２の穴セットの穴４１，４２の間を潜らせ、コード５の大部分はテープ表面に露出させる。図１に示すように、コード５は、テープの長手方向中央線に沿ってほぼ一直線に取り付けられる。
【００２０】
イヤホンコード５はテープ２に密着しているので、体の動きの妨げとなることはない。また、スピーカーが耳から外れ、コードが落下したり、もつれたりすることもない。
【実施例２】
【００２１】
図３は、第２実施例に係るイヤホンコード保持具１Ａを取り付けた状態を示す衣服と着用者を表した正面図である。図４（ａ）は拡大正面図、（ｂ）は縦断面図である。
【００２２】
図３に示すように、布製のテープ２Ａは着用者の首もとからポケットに至るまで、衣服に固定される。固定方法は、テープ２Ａの両縁部を衣服に縫い付けることによる。必ずしも全面的に縫い付ける必要はなく、隙間があってもよい。
【００２３】
図４に示すように、穴４１Ａ，４２Ａはテープの幅方向に２つ設けられたものが１セットとなり、このセットが図３では１２個設けられている。各セット同士の間の間隔は、等間隔ではなく、短い間隔と長い間隔とが交互に設けられている。
【００２４】
穴４１Ａ，４２Ａを形成するため、本実施例では、テープ２Ａに後でスリットを入れたテープ２Ａを使用している。
【００２５】
コード５を取り付けるには、コード末端のプラグを手に持ってテープのセット穴４１Ａ，４２Ａの間を潜らせ、コード５の大部分はテープ表面に露出させる。図３に示すように、コード５は、テープの長手方向に沿って蛇行する。
【００２６】
イヤホンコード５はテープ２Ａに密着しているので、体の動きの妨げとなることはない。また、スピーカーが耳から外れ、コードが落下したり、もつれたりすることもない。第１実施例と比べると、コードが蛇行するが、テープ２Ａに対するコード５の取り付けはより容易である。
【図面の簡単な説明】
【００２７】
【図１】第１実施例に係るイヤホンコード保持具を取り付けた状態を示す衣服と着用者を表した正面図である。
【図２】第１実施例に係るイヤホンコード保持具であり、（ａ）は拡大正面図、（ｂ）は縦断面図である。
【図３】第２実施例に係るイヤホンコード保持具を取り付けた状態を示す衣服と着用者を表した正面図である。
【図４】第１実施例に係るイヤホンコード保持具であり、（ａ）は拡大正面図、（ｂ）は縦断面図である。
【符号の説明】
【００２８】
１，１Ａ      イヤホンコード保持具
２，２Ａ      テープ
３     衣服
４１，４２    穴
４１Ａ，４２Ａ         穴
５     コード
【図１】
0003130457.tif 000003
【図２】
0003130457.tif 000004
【図３】
0003130457.tif 000005
【図４】
0003130457.tif 000006